(57)【要約】【課題】電圧変換器がターンオンされたときにオーバシュートを生じない出力電圧を発生するよう構成される通信システム検査用の電気システムを提供する。【解決手段】本発明は、少なくとも１つの機能ボード（１３）、及び少なくとも１つの電圧変換器（１５’）を含み、その際、電圧変換器（１５’）によって発生された電圧（Ｕ１）が機能ボード（１３）に供給されるように、機能ボード（１３）及び電圧変換器（１５’）が接続されており、電圧変換器（１５’）によって発生された電圧（Ｕ１）を制御するために電力制御回路（２４）を含み、電圧変換器（１５’）がターンオフされた場合に、電力制御回路（２４）がクランプされることを特徴とする、電気システム（１０）を提供する。【選択図】図２
2004004027.tif 000002
【特許請求の範囲】
【請求項１】
少なくとも１つの機能ボード、及び少なくとも１つの電圧変換器を含み、その際、前記電圧変換器によって発生された電圧が前記機能ボードに供給されるように、前記機能ボード及び前記電圧変換器が接続されており、前記電圧変換器によって発生された前記電圧を制御するために電力制御回路を含み、前記電圧変換器がターンオフされた場合に、前記電力制御回路がクランプされることを特徴とする、電気システム。
【請求項２】
前記の電圧変換器がターンオフされた場合、前記電力制御回路の前記出力信号が制限されることを特徴とする、請求項１に記載の電気回路。
【請求項３】
入力端子と出力端子との間に接続されたスイッチを備えた演算増幅器を含み、前記電圧変換器がターンオフされた場合に、前記スイッチが閉じることを特徴とする、請求項１に記載の電気回路。
【請求項４】
前記演算増幅器の前記入力端子が、実際の電圧及び基準電圧に接続されており、かつ、前記スイッチが、前記実際の電圧の前記入力端子に接続されていることを特徴とする、請求項３に記載の電気回路。
【請求項５】
前記スイッチに対して並列にコンデンサが接続されていることを特徴とする、請求項３に記載の電気回路。
【請求項６】
前記演算増幅器の前記出力端子が、制御信号として電圧変換器に接続されていることを特徴とする、請求項３に記載の電気回路。
【請求項７】
前記機能ボードが、通信システムの前記チャネルをテストするためのいわゆるチャネルボードであることを特徴とする、請求項１に記載の電気システム。
【発明の詳細な説明】
【０００１】
【発明の属する技術分野】
本発明は、通信システムのチャネルをテストするためのテストシステムの如き電気システムに関する。
【０００２】
【従来の技術】
この種の電気システムは、少なくとも１つの機能ボード及び少なくとも１つの電圧変換器を含み、その際、電圧変換器によって発生された電圧が機能ボードに供給されるようにして、機能ボード及び電圧変換器が接続されている。電圧変換器によって発生される電圧を制御するために、電力制御回路が設けられている。
【０００３】
電圧変換器はターンオフすることが可能である。電力制御回路がターンオフされていない場合、この電力制御回路は、電圧変換器に転送されるその制御信号を増加することによって、電圧変換器の出力電圧を増加するように試み続ける。この時、電圧変換器が再びターンオンされると、電力制御回路から受信される制御信号は高すぎるので、電圧変換器によって発生される出力電圧は、必要な基準電圧を超えてオーバシュートを生じる。
【０００４】
【発明が解決しようとする課題】
それ故に本発明の目的は、電圧変換器がターンオン（即ちオン状態に変更）されたときに、オーバシュートを生じない出力電圧を発生することのできる前述のような電気システムを提供することにある。
【０００５】
【課題を解決するための手段】
本発明の目的は、少なくとも１つの機能ボード、及び少なくとも１つの電圧変換器を含み、電圧変換器によって発生された電圧が機能ボードに供給されるようにして機能ボード及び電圧変換器が接続されており、電圧変換器によって発生された電圧を制御するために電力制御回路を含み、前記電圧変換器がターンオフされた場合に、電力制御回路がクランプされることを特徴とする電気システムを提供することによって達成される。
【０００６】
特に電気システムは、電圧変換器によって発生された電圧を制御するために電力制御回路を含み、電圧変換器がターンオフ（即ちオフ状態に変更）された場合、電力制御回路がクランプされる。このことは、電圧変換器がターンオフされた場合、電力制御回路の出力信号が制限されることを意味する。
【０００７】
電力制御回路のクランプ又は制限は、電圧変換器がターンオフされた場合に、その状態において、電力制御回路が、電圧変換器の出力電圧を増加するように試み続けないという利点を有する。その結果として、電圧変換器が再びターンオンされた場合、電力制御回路から電圧変換器への制御信号は、高いレベルとはならず、電圧変換器の出力電圧は、オーバシュートを生じない。
【０００８】
電気回路が、その１つの入力端子とその出力端子との間に接続されたスイッチを備えた演算増幅器を含み、電圧変換器がターンオフされた場合、スイッチが閉じると有利である。さらに演算増幅器の入力端子が、実際の電圧及び基準電圧に接続されており、その際、スイッチが、実際の電圧の入力端子に接続されていると有利である。さらにスイッチに対して並列にコンデンサを接続することができる。
【０００９】
【発明の実施の形態】
本発明のその他の目的、利点、特徴及び態様とともに、本発明は、添付の図面を参照して行なわれる以下の説明により一層明確に理解されるであろう。
【００１０】
図１に、電気システム１０が示されており、例えば通信システムのチャネルをテストするための電気テストシステムが示されている。電気システム１０は、前側平面ボード１１及び後側平面ボード１２を提供するラック等の内側に含まれている。前側平面ボード１１と後側平面ボード１２との間において、ラック内に多数のボードを差込むことができる。
【００１１】
図１に示すように、電気システム１０は、多数の機能ボード１３及び多数の電源ボード１４を備えている。機能ボード１３は、例えば通信システムのチャネルをテストするための電気回路を含むことができる。例として８つのいわゆるチャネルボードが、電気システム１０内に存在することができる。電源ボード１４は、機能ボードのために必要な電圧を生じるための電気回路を含む。例として４つのこのような電源ボード１４が、電気回路１０内に存在することができる。
【００１２】
電源ボード１４のそれぞれ１つは、多数の電圧変換器１５を含み、その際、これらの電圧変換器１５のそれぞれ１つは、１つの必要な電圧を生じるために利用される。例として５つの電圧変換器１５が、それぞれ１つの電源ボード１４内に存在する。
【００１３】
前側平面ボード１１及び後側平面ボード１２は、機能ボード１３と電源ボード１４との間の接続部を含む。同様に前側平面ボード１１及び後側平面ボード１２は、機能ボード１３及び電源ボード１４における電気回路のためにアースを提供し、即ち前側平面アース及び後側平面アースを提供する。
【００１４】
更に電力制御ボード１６は、前側平面ボード１１に接続されており、この電力制御ボードは、特に電源ボード１４において生じた電圧を制御するための電気回路を含んでいる。
【００１５】
図２に、１つの機能ボード１３、後側平面ボード１２、２つの電圧変換器１５’、１５”を備えた１つの電源ボード１４、及び電力制御ボード１６が示されている。
【００１６】
電圧変換器１５’は第１の電圧Ｕ１を生じ、且つ電圧変換器１５”は第２の電圧Ｕ２を生じる。２つの電圧Ｕ１、Ｕ２は、異なっていてもよく、又は等しくともよい。
【００１７】
これら２つの電圧Ｕ１、Ｕ２は、機能ボード１３に供給される。電圧変換器１５’、１５”と機能ボード１３との間の電気接続は、後側平面ボード１２を介して行なわれる。
【００１８】
１つの電圧変換器１５’、１５”によって発生される電圧を制御するために、それぞれ１つの電圧変換器１５’、１５”に組合わされた電力制御ボード１６に、電力制御回路２４が設けられている。
【００１９】
図２に示すように、電圧Ｕ１、Ｕ２は、２つの演算増幅器２２’、２２”の正及び負の入力端子に接続されている。演算増幅器２２’の出力信号は、抵抗を介して実際の電圧として、電力制御回路２４の入力端子２３に転送される。更に電力制御回路２４は、基準電圧ＵＲＥＦを受信するために入力端子２５を備えている。
【００２０】
電力制御回路２４は、演算増幅器２７、コンデンサ２８及びスイッチ２９を含む。演算増幅器２７の正の入力端子は、基準電圧ＵＲＥＦに関する電力制御回路２４の入力端子２５に接続されている。演算増幅器２７の負の入力端子は、実際の電圧に関する電力制御回路２４の入力端子２３に接続されている。コンデンサ２８及びスイッチ２９は、演算増幅器２７の負の入力端子と出力端子との間に並列に接続されている。演算増幅器２７の出力端子において、制御信号Ｔが利用でき、この制御信号は、電圧変換器１５’に転送される。
【００２１】
同様な回路は、特に同様な電力制御回路は、電圧変換器１５”に関して電力制御ボード１６に設けられている。電源ボード１４と電力制御ボード１６との間のすべての接続は、前側平面板１１（図２には示されていない）を介して通すことができる。
【００２２】
図３は、電気システム１０の４つの信号を示している。
【００２３】
図３の一番上の第１の信号は、電圧変換器１５’に関し、電圧変換器１５’の状態を示している。信号がオンである場合、電圧変換器１５’は、ターンオンされ、かつ電圧Ｕ１を発生する。信号がオフである場合、電圧変換器１５’は、ターンオフされ、いかなる出力電圧も発生しない。電圧変換器１５’のスイッチの時間の点は、基準番号Ｔ１及びＴ２によって特徴づけられる。
【００２４】
上から２番目の信号は、スイッチ２９に関する。時間Ｔ１の点において、すなわち電圧変換器１５’がターンオフすると、スイッチ２９は閉じられる。時間Ｔ２の点において、すなわち電圧変換器１５’が再びターンオンすると、スイッチ２９は、開かれる。この場合、時間Ｔ２の点におけるスイッチ２９の開きは、期間ＴＤだけ遅延され得る。
【００２５】
図３の上から３番目の信号は、電力制御回路２４から電圧変換器１５’に転送される信号Ｔを示している。信号Ｔは、電圧変換器１５’によって発生される電圧Ｕ１を調整するための制御信号である。信号Ｔは、電力制御回路２４の入力端子２５における基準電圧ＵＲＥＦと電力制御回路２４の入力端子２３における実際の電圧との間の差がゼロになるように発生される。このことは、電圧変換器１５’によって発生される電圧Ｕ１が基準電圧ＵＲＥＦに等しくなるように、信号Ｔが発生されることを意味する。
【００２６】
上から４番目の信号は、電圧変換器１５’によって発生される電圧Ｕ１である。電圧変換器１５’がターンオンされると、電圧Ｕ１は、電力制御回路の入力端子２５に供給される基準電圧ＵＲＥＦに相当する。電圧変換器１５’がターンオフされると、電圧Ｕ１はゼロである。
【００２７】
スイッチ２９がないと、電圧変換器１５’が時間Ｔ１の点においてターンオフされた後に、破線で示すように、信号Ｔは、演算増幅器２７の上限ＵＬに向かって上昇する。この上昇は、電圧変換器１５’がスイッチオフされたことに、電力制御回路２４が気付かず、かつそれ故に電力制御回路２４が、電圧変換器１５’の出力電圧Ｕ１を上昇することを試み続けるという事実の結果である。
【００２８】
その後、スイッチ２９がない場合に、電圧変換器１５’は、時間Ｔ２の点において再びターンオンされると、電圧変換器１５’によって発生される電圧Ｕ１は、オーバシュートＯＳの結果として制御信号Ｔの高い値のためにきわめて急速に上昇する。
【００２９】
しかしながら図２に示すようなスイッチ２９によれば、電圧変換器１５’が時間Ｔ１の点においてターンオフされた後に、信号Ｔは、演算増幅器２７の上限ＵＬに向かって上昇しない。その代わりに閉じたスイッチ２９のため、信号Ｔは、図２に示すように一層低いレベルＬＬに留まる。
【００３０】
それから電圧変換器１５’が、時間Ｔ２の点において再びターンオンされるとき、電圧変換器１５’によって発生される電圧Ｕ１は、それ以上オーバシュートＯＳを含まない。その代わりに電圧Ｕ１は急速に上昇するが、基準電圧ＵＲＥＦのレベルに達するときに、わずかなオーバシュートしか含まない。
【００３１】
スイッチ２９が期間ＴＤの遅延を含んで開かれる場合、この時、電圧Ｕ１の上昇は、前記わずかなオーバシュートが一層わずかであるという意味において、一層良好である。その他の代案として、前記の期間ＴＤの間にのみスイッチを閉じることが可能である。
【００３２】
これらすべての場合に、閉じたスイッチ２９は、電力制御回路２４を、特に演算増幅器２７をクランプする。閉じたスイッチ２９は、演算増幅器２７がその出力信号を、すなわちその上限ＵＬにおける制御信号Ｔを駆動に使用させないようにする。その代わり、閉じたスイッチ２９は、電圧変換器１５’が再びターンオンされたときの時間Ｔ２の点において、絶対的に正しくはないがほとんど正しい値に信号Ｔを制限する。
【００３３】
前述の電気システム１０が、単一の電圧変換器だけを含むこともできるので、単一の電圧だけを機能ボードに供給することを述べておく。
【００３４】
上述の実施形態に即して本発明を説明すると、本発明は、少なくとも１つの機能ボード（１３）、及び少なくとも１つの電圧変換器（１５’）を含み、その際、前記電圧変換器（１５’）によって発生された電圧（Ｕ１）が前記機能ボード（１３）に供給されるように、前記機能ボード（１３）及び前記電圧変換器（１５’）が接続されており、前記電圧変換器（１５’）によって発生された前記電圧（Ｕ１）を制御するために電力制御回路（２４）を含み、前記電圧変換器（１５’）がターンオフされた場合に、前記電力制御回路（２４）がクランプされることを特徴とする、電気システム（１０）を提供する。
【００３５】
好ましくは、前記電圧変換器（１５’）がターンオフされた場合、前記電力制御回路（２４）の前記出力信号（Ｔ）が制限される。
【００３６】
好ましくは、入力端子と出力端子との間に接続されたスイッチ（２９）を備えた演算増幅器（２７）を含み、前記電圧変換器（１５’）がターンオフされた場合に、前記スイッチが閉じる。
【００３７】
好ましくは、前記演算増幅器の前記入力端子が、実際の電圧及び基準電圧（ＵＲＥＦ）に接続されており、かつ、前記スイッチ（２９）が、前記実際の電圧の前記入力端子に接続される。
【００３８】
好ましくは、前記スイッチ（２９）に対して並列にコンデンサ（２８）が接続される。
【００３９】
好ましくは、前記演算増幅器（２７）の前記出力端子は、制御信号（Ｔ）として電圧変換器（１５’）に接続される。
【００４０】
好ましくは、前記機能ボード（１３）が、通信システムの前記チャネルをテストするためのいわゆるチャネルボードである。
【図面の簡単な説明】
【図１】少なくとも１つの機能ボード及び少なくとも１つの電源ボードを含む電気システムの方式ブロック図である。
【図２】図１の２つの機能ボード及び電源ボードのさらに詳細化した方式ブロック図である。
【図３】時間に関する電気システムの信号を示す図である。
【符号の説明】
１０　電気システム
１１　前側平面ボード
１２　後側平面ボード
１３　機能ボード
１４　電源ボード
１５　電圧変換器
２０　抵抗
２３　ルックアップテーブル
２４　電力制御回路
２７　演算増幅器
２８　コンデンサ
２９　スイッチ
Ｔ　制御信号
Ｕ１　電圧
ＵＲＥＦ　基準電圧
【図１】
2004004027.tif 000003
【図２】
2004004027.tif 000004
【図３】
2004004027.tif 000005